(57)【要約】【課題】ケーブルユニットの装着性等を向上させる。【解決手段】ケーブルユニットは、第１の収納ユニットと、第２の収納ユニットと、音響ドライバユニットに対して着脱自在とされる第１のコネクタ部と、音響ドライバユニットに対して着脱自在とされる第２のコネクタ部と、第１の収納ユニット、第２の収納ユニット、第１のコネクタ部および第２のコネクタ部に接続されるケーブルとを有し、第１の収納ユニットおよび第２の収納ユニットの重量の和が、第１の収納ユニットおよび第２の収納ユニット間の重量に比して大とされる。【選択図】図１
2016051950.tif 000002
【特許請求の範囲】
【請求項１】
第１の収納ユニットと、
第２の収納ユニットと、
音響ドライバユニットに対して着脱自在とされる第１のコネクタ部と、
音響ドライバユニットに対して着脱自在とされる第２のコネクタ部と、
前記第１の収納ユニット、前記第２の収納ユニット、前記第１のコネクタ部および前記第２のコネクタ部に接続されるケーブルと
を有し、
前記第１の収納ユニットおよび前記第２の収納ユニットの重量の和が、前記第１の収納ユニットおよび前記第２の収納ユニット間の重量に比して大とされる
ケーブルユニット。
【請求項２】
前記第１の収納ユニットおよび前記第２の収納ユニットのいずれかに、無線通信を行うための通信部が収納される
請求項１に記載のケーブルユニット。
【請求項３】
前記第１の収納ユニットおよび前記第２の収納ユニットのうち、前記通信部が収納される収納ユニットとは異なる収納ユニットに電源部が収納される
請求項２に記載のケーブルユニット。
【請求項４】
前記第１のコネクタ部および前記第２のコネクタ部のそれぞれに回転防止機構が形成される
請求項１に記載のケーブルユニット。
【請求項５】
前記第１の収納ユニットおよび前記第２の収納ユニットはそれぞれ、円筒状の収納ユニットと、前記円筒状の収納ユニットを支持する線状のユニット支持部とを有し、
前記ケーブルが前記ユニット支持部に挿通される
請求項１に記載のケーブルユニット。
【請求項６】
前記円筒状の収納ユニットに、少なくともマイクロホンが配設される
請求項５に記載のケーブルユニット。
【請求項７】
前記ユニット支持部が前記円筒状の収納ユニットの周面の一部を支持するように構成された
請求項５に記載のケーブルユニット。
【請求項８】
所定の状態において、前記円筒状の収納ユニットの周面に生じる非接触領域に前記マイクロホンが位置するように構成された
請求項６に記載のケーブルユニット。
【請求項９】
第１の収納ユニットと、
第２の収納ユニットと、
第１の音響ドライバユニットと、
第２の音響ドライバユニットと、
前記第１の収納ユニット、前記第２の収納ユニット、前記第１の音響ドライバユニットおよび前記第２の音響ドライバユニットに接続されるケーブルと
を有し、
前記第１の収納ユニットおよび前記第２の収納ユニットの重量の和が、前記第１の収納ユニットおよび前記第２の収納ユニット間の重量に比して大とされる
ヘッドホン。
【請求項１０】
前記第１の収納ユニットおよび前記第２の収納ユニットのいずれかに、無線通信を行うための通信部が収納される
請求項９に記載のヘッドホン。
【請求項１１】
前記第１の収納ユニットおよび前記第２の収納ユニットのうち、前記通信部が収納される収納ユニットとは異なる収納ユニットに電源部が収納される
請求項１０に記載のヘッドホン。
【請求項１２】
前記第１の収納ユニットおよび前記第２の収納ユニットはそれぞれ、円筒状の収納ユニットと、前記円筒状の収納ユニットを支持する線状のユニット支持部とを有し、
前記ケーブルが前記ユニット支持部に挿通される
請求項９に記載のヘッドホン。
【請求項１３】
前記円筒状の収納ユニットに、少なくともマイクロホンが配設される
請求項１２に記載のヘッドホン。
【請求項１４】
前記ユニット支持部が前記円筒状の収納ユニットの周面の一部を支持するように構成された
請求項１２に記載のヘッドホン。
【請求項１５】
所定の状態において、前記円筒状の収納ユニットの周面に生じる非接触領域に前記マイクロホンが位置するように構成された
請求項１３に記載のヘッドホン。
【発明の詳細な説明】
【技術分野】
【０００１】
本技術は、ケーブルユニットおよびヘッドホンに関する。
【背景技術】
【０００２】
ヘッドホンでは、一般に音響ドライバユニットの耐久性に比べてオーディオケーブルの耐久性が低く、断線等の故障が発生する可能性がある。このような場合には、オーディオケーブルはもとよりオーディオケーブルに接続される音響ドライバユニット等も含めて交換しなければならなかった。そこで近年、オーディオケーブルを交換可能なヘッドホン（イヤホン）が提案されている（例えば、下記特許文献１を参照のこと）。
【先行技術文献】
【特許文献】
【０００３】
【特許文献１】特開２０１１−２３４１２４号公報
【発明の概要】
【発明が解決しようとする課題】
【０００４】
特許文献１の記載の技術により、断線等が発生した場合でもオーディオケーブルのみを交換すればよく、ヘッドホン全てを交換する必要がなくなる（ケーブルのみを交換することはリケーブルなどとも称されている）。また、使用するオーディオケーブルによっては高音質化を図ることができる。このような、音響ドライバユニットが交換可能なヘッドホンの分野においては、装着性、利便性等をさらに向上させることが望まれている。
【０００５】
本技術の目的の一つは、装着性、利便性等を向上させたケーブルユニットおよびヘッドホンを提供することである。
【課題を解決するための手段】
【０００６】
上述した課題を解決するために、本技術は、例えば、
第１の収納ユニットと、
第２の収納ユニットと、
音響ドライバユニットに対して着脱自在とされる第１のコネクタ部と、
音響ドライバユニットに対して着脱自在とされる第２のコネクタ部と、
第１の収納ユニット、第２の収納ユニット、第１のコネクタ部および第２のコネクタ部に接続されるケーブルと
を有し、
第１の収納ユニットおよび第２の収納ユニットの重量の和が、第１の収納ユニットおよび第２の収納ユニット間の重量に比して大とされる
ヘッドホンである。
【０００７】
また、本技術は、例えば、
第１の収納ユニットと、
第２の収納ユニットと、
第１の音響ドライバユニットと、
第２の音響ドライバユニットと、
第１の収納ユニット、第２の収納ユニット、第１の音響ドライバユニットおよび第２の音響ドライバユニットに接続されるケーブルと
を有し、
第１の収納ユニットおよび第２の収納ユニットの重量の和が、第１の収納ユニットおよび第２の収納ユニット間の重量に比して大とされる
ケーブルユニットである。
【発明の効果】
【０００８】
少なくとも一つの実施形態によれば、装着性、利便性等を向上させたケーブルユニットおよびヘッドホンを提供することができる。なお、ここに記載された効果は必ずしも限定されるものではなく、本技術中に記載されたいずれの効果であってもよい。また、例示された効果により本技術の内容が限定して解釈されるものではない。
【図面の簡単な説明】
【０００９】
【図１】図１は、本技術の一実施形態におけるケーブルユニットの構成の一例を示すブロック図である。
【図２】図２は、本技術の一実施形態におけるケーブルユニットの外観の一例を示す図である。
【図３】図３は、ケーブルユニットをヘッドホンとして使用した場合の使用状態の一例を説明するための図である。
【図４】図４Ａおよび図４Ｂは、収納ユニットの構成の一例を説明するための図である。
【図５】図５は、所定の状態の一例を説明するための図である。
【図６】図６Ａおよび図６Ｂは、コネクタ部に形成される回転防止機構の一例を説明するための図である。
【図７】図７Ａおよび図７Ｂは、音響ドライバユニットの孔部にコネクタ部が挿着された状態の一例を示す図である。
【発明を実施するための形態】
【００１０】
以下、本技術の一実施形態について図面を参照しながら説明する。なお、説明は以下の順序で行う。
＜１．一実施形態＞
＜２．変形例＞
以下に説明する実施形態等は本技術の好適な具体例であり、本技術の内容がこれらの実施形態等に限定されるものではない。
【００１１】
＜１．一実施形態＞
「ケーブルユニットの構成について」
始めに、本技術の一実施形態における、ケーブルユニットの構成の一例について説明する。本技術の一実施形態のケーブルユニットについて概略的に説明する。ケーブルユニットは、オーディオケーブルを有し、このオーディオケーブルに対して音響ドライバユニットが着脱自在となるように構成されている。オーディオケーブルに対して音響ドライバユニットを装着することによりケーブルユニットをヘッドホン（音楽、人の声等の種々の音を聞く装置）として使用することができる。なお、ケーブルユニットは、オーディオケーブルのみの構成に限定されることはなく、オーディオケーブルに種々の構成が追加されたものでもよい。
【００１２】
図１は、本技術の一実施形態における、ケーブルユニットの構成の一例を示す図である。ケーブルユニット１は、例えば、コネクタ部１００と、コネクタ部１１０と、収納ユニット１５０と、収納ユニット１６０と、近距離無線通信ユニット１８０とを備えている。ケーブルユニット１の各部がオーディオケーブル２００を介して接続されている。
【００１３】
オーディオケーブル２００は、Ｒｃｈ側のオーディオケーブルＣ１０と、Ｌｃｈ側のオーディオケーブルＣ２０と、オーディオケーブルＣ３０とが連続して形成された構成を成している。オーディオケーブルＣ１０によりコネクタ部１００と収納ユニット１５０とが接続されている。オーディオケーブルＣ２０によりコネクタ部１１０と収納ユニット１６０とが接続されている。オーディオケーブルＣ３０により収納ユニット１５０と収納ユニット１６０とが接続されており、収納ユニット１５０および収納ユニット１６０間に近距離無線通信ユニット１８０が接続されている。
【００１４】
コネクタ部１００およびコネクタ部１１０のそれぞれに対して、音響ドライバユニットが着脱自在とされている。コネクタ部の形状に適合するものであれば、音響ドライバユニットの駆動方式（ダイナミック型、バランスドアーマチュア型、コンデンサ型、これらのうちの一部を組み合わせたハイブリッド型）や、音響ドライバユニットの形状（挿着方式）などは特定のものに限定されるものではない。
【００１５】
収納ユニット１５０には、例えば、所定の通信方式により通信を行うための通信部（アンテナを含む）が収納される。通信方式としては、例えば、赤外線を用いた通信や、Zigbee（登録商標）による通信、Bluetooth（登録商標）による通信、WiFi（登録商標）による通信などを適用することができるが、これらに限定されるものではない。
【００１６】
さらに、収納ユニット１５０に、例えば、マイクロホンやＬＥＤ(Light Emitting Diode)が配設される。これらの構成に対応する構成、例えば、マイクロホンを介して入力される音声を処理する音声処理部や、ＬＥＤの発光を制御する発光制御部が収納ユニット１５０に収納される。上述した通信部や音声処理部等が１チップのＩＣ(Integrated Circuit)チップとして構成されてもよい。一実施形態におけるケーブルユニット１はオーディオの出力のみならず電話機能を有しており、収納ユニット１５０に配設されたマイクロホンを使用して音声の入力を行うことができる。
【００１７】
さらに、収納ユニット１５０の表面に入力部が配設される。入力部に対する操作に伴って生成される操作信号を処理する処理部が収納ユニット１５０に収納される。入力部は、例えば、１のボタンにより構成される。入力部は、１のボタンを押下する回数、押下する時間等を適宜、組み合わせることにより種々の機能を実行することができるマルチファンクションボタンとして機能する。
【００１８】
入力部に対する操作と、操作に伴って実行される機能の一例について説明する。ボタンを長押しすることによりケーブルユニット１の電源のオン／オフを実行することができる。電源のオン時にさらにボタンが長押しされるとペアリング機能を実行することができる。ボタンを２回、連続して押下することにより音楽の曲送りを実行することができる。ボタンを３回、連続して押下することにより音楽の曲戻しを実行することができる。  
【００１９】
ボタンを２回、連続して押下し２回目の押下を長押しとすることによりボリュームを大きくすることができる。ボタンを３回、連続して押下し３回目の押下を長押しとすることによりボリュームを小さくすることができる。なお、例えば、ケーブルユニット１とスマートホンとがペアリングされた状態でスマートホンに着信があった場合には着信音が音響ドライバユニットを介して再生される。この場合には、ボタンを１回、押下することにより音楽の再生から通話状態へと遷移し、通話が可能となる。
【００２０】
収納ユニット１６０は、例えば、電源部として機能する。より具体的には、収納ユニット１６０に充電可能な二次電池（例えば、リチウムイオン二次電池）が収納されている。収納ユニット１５０（収納ユニット１６０でもよい）には、充電用のケーブルを接続するためのコネクタが形成されている。このコネクタに充電用のケーブルを差し込み、充電用のケーブルの他方を商用電源、パーソナルコンピュータ等の給電装置に接続することにより二次電池に対する充電を行うことができる。
【００２１】
なお、上述した収納ユニット１５０の重量および収納ユニット１６０の重量は略均等となるように設定される。
【００２２】
近距離無線通信ユニット１８０には、例えば、ＮＦＣ（Near Field Communication）規格に基づく近距離無線を行うための構成が収納される。近距離無線通信ユニット１８０を他の電子機器（例えば、スマートホンや携帯型のオーディオプレーヤ）にかざすだけで、ケーブルユニット１と他の電子機器との接続を確立することができる（ペアリング）。接続を確立した後に、例えば、Bluetoothによる通信に基づいて他の電子機器からオーディオデータや音声データを取得し、取得したオーディオデータ等をケーブルユニット１を介して再生することができる。
【００２３】
以上、ケーブルユニット１の構成の一例について説明した。なお、本技術におけるケーブルユニット１は上述した構成例に限定されることはない。各収納ユニットに収納される構成は適宜、変更することができる。ケーブルユニット１に音響ドライバユニットを装着しヘッドホンとして使用することにより、音楽をワイヤレスにより手軽に聞くことが可能となる。また、機器側に接続される入力プラグ等を有し、ケーブルユニット１と同様に音響ドライバユニットが着脱自在とされるオーディオケーブルを用いることにより、ワイヤードで音楽を聴くことができる。
【００２４】
「ケーブルユニットの外観について」
図２は、ケーブルユニット１の外観の一例を示す図である。上述したように、ケーブルユニット１は、例えば、コネクタ部１００と、コネクタ部１１０と、収納ユニット１５０と、収納ユニット１６０と、近距離無線通信ユニット１８０とを備えている。コネクタ部１００および収納ユニット１５０間がオーディオケーブルＣ１０により接続されている。コネクタ部１１０および収納ユニット１６０間がオーディオケーブルＣ２０により接続されている。収納ユニット１５０および収納ユニット１６０間がオーディオケーブルＣ３０により接続されており、オーディオケーブルＣ３０の中央付近に近距離無線通信ユニット１８０が接続されている。なお、図２では後述する構成の図示を適宜、省略している。
【００２５】
一実施形態におけるケーブルユニット１では、収納ユニット１５０および収納ユニット１６０の重量の和が、収納ユニット１５０および収納ユニット１６０間の重量に比して大とされている。この例では、収納ユニット１５０および収納ユニット１６０間の重量は、オーディオケーブルＣ３０および近距離無線通信ユニット１８０の重量の和により規定される。
【００２６】
図３は、ケーブルユニット１に音響ドライバユニットを装着し、ヘッドホンとして使用した場合の使用状態の一例を示す図である。コネクタ部１００に対して音響ドライバユニットＤＵ１が取り付けられており、音響ドライバユニットＤＵ１がユーザＵの右耳に装着されている。また、コネクタ部１１０に対して音響ドライバユニットＤＵ２が取り付けられており、音響ドライバユニットＤＵ２がユーザＵの左耳に装着されている。オーディオケーブルＣ１０およびオーディオケーブルＣ２０がユーザＵの下方に向かって延伸するようにして、ケーブルユニット１が使用されている。
【００２７】
使用状態では、例えば、オーディオケーブルＣ３０がユーザＵの首の後ろ側に配され、収納ユニット１５０および収納ユニット１６０がユーザＵの肩付近に沿う位置に配される。収納ユニット１５０および収納ユニット１６０の重量の和が収納ユニット１５０および収納ユニット１６０間の重量に比して大とされることにより、収納ユニット１５０および収納ユニット１６０間の重量によりケーブルユニット１がユーザＵの背後に向かって落下してしまうことを防止できる。このようにケーブルユニット１（ヘッドホン）の装着性を向上させることができる。
【００２８】
なお、図３に示すケーブルユニット１の使用例は一例であり、この例に限定されるものではない。例えば、オーディオケーブルＣ１０およびオーディオケーブルＣ２０のそれぞれを耳介の背後から耳介の上部を通らせ、音響ドライバユニットＤＵ１および音響ドライバユニットＤＵ２のそれぞれをユーザの耳に装着してもよい。オーディオケーブルＣ１０およびオーディオケーブルＣ２０を柔軟性を有する素材により構成し、それぞれの長さを略均等として適切に設定することにより、上述した２つの装着方法の両方に対応することが可能となる。すなわち、ケーブルユニット１の使用方法を広げることができる。
【００２９】
「収納ユニットの構成」
次に、本技術の一実施形態における、ケーブルユニット１の収納ユニット１５０の構成例について説明する。図４Ａおよび図４Ｂは、収納ユニット１５０を異なる方向から見た斜視図である。収納ユニット１５０は、例えば、円筒状の収納ユニット１５１と、この円筒状の収納ユニット１５１を支持するユニット支持部１５２とを有している。収納ユニット１５１には、上述した通信処理部等の回路構成が収納されている。
【００３０】
ユニット支持部１５２は、オーディオケーブルＣ１０の延伸方向に向かって長手方向を有する、略線状を成す形状を有している。ユニット支持部１５２の内部にオーディオケーブルＣ１０が挿通されている。収納ユニット１５１の周面の一部がユニット支持部１５２に接続されることにより、収納ユニット１５１が支持されている。収納ユニット１５１およびユニット支持部１５２は内部において連通しており、収納ユニット１５１に収納されている回路構成とオーディオケーブルＣ１０とが電気的に接続されている。
【００３１】
一実施形態における収納ユニット１５０では、オーディオケーブルＣ１０の延伸方向に沿うようにしてユニット支持部１５２を設け、オーディオケーブルＣ１０を挿通している。これにより、ケーブル感（オーディオケーブルが一直線状（ライン状）であるような感覚）が損なわれることを防止できる。
【００３２】
収納ユニット１５１には、マイクロホン１５３が配設されている。マイクロホン１５３は、例えば、全指向性のマイクロホンにより構成される。マイクロホン１５３は、ケーブルユニット１が所定の状態において生じる収納ユニット１５１の非接触領域に配設される。例えば、ユニット支持部１５２により支持される箇所とは反対側の位置の近傍に、マイクロホン１５３が配設される。
【００３３】
ここで所定の状態とは、例えば図５に示すようにケーブルユニット１を平面に載置し、無負荷状態（ケーブルユニット１に負荷がかかっておらずオーディオケーブル２００にねじれが生じていない状態）である。この状態では、収納ユニット１５０（収納ユニット１６０も同様）の向きは所定の方向に一意に規定され、周面の一部が載置面に接触する。例えば、収納ユニット１５０は、オーディオケーブル２００により形成される略コ字状の外側に向く。収納ユニット１５０の周面において載置面に接触しない領域（非接触領域）にマイクロホン１５３が位置するようにケーブルユニット１が構成される。
【００３４】
なお、所定の状態は図５に示す状態に限定されることはない。所定の状態は、例えば、図３に例示したケーブルユニット１の使用状態でもよい。後述するコネクタ部に形成された回転防止機構によりコネクタ部が回転してしまいオーディオケーブル２００にねじれが生じることを防止できる。これにより、収納ユニット１５０および収納ユニット１６０の向きが一意に規定され、使用状態において収納ユニット１５０（収納ユニット１６０も同様）の周面の一部がユーザの肩付近の衣服に接触する。収納ユニット１５０の周面において、衣服に接触しない領域（非接触領域）にマイクロホン１５３が位置するようにケーブルユニット１が構成される。例えば、ユーザの左右方向にマイクロホン１５３が向くようにしてマイクロホン１５３が収納ユニット１５１に配設される。
【００３５】
収納ユニット１５１の非接触領域にマイクロホン１５３を配設することにより、例えば、衣服とマイクロホン１５３の近傍とが接触し擦れに伴う音（ノイズ）がマイクロホン１５３に入力することを防止できる。また、マイクロホン１５３が衣服により覆われないため、マイクロホン１５３の集音性を向上させることができる。さらに、例えば、通話時にユーザの声をマイクロホン１５３に確実に入力することが可能になる。
【００３６】
なお、図４に示すように、収納ユニット１５１の非接触領域に入力部１５４を配設してもよい。これにより、入力部１５４に対する操作を容易に行うことができ操作性を向上させることができる。一般に右利きのユーザが多いため、入力部１５４は、ユーザの右側に位置する収納ユニット１５１に配設されることが好ましい。また、図示はしていないが、収納ユニット１５１の非接触領域にＬＥＤを配設してもよい。これにより、ＬＥＤに対する視認性を向上させることができる。
【００３７】
なお、上述の説明では収納ユニット１５０の構成例について説明した。収納ユニット１６０の構成は、収納ユニット１５０の構成と同様でもよく、収納ユニット１６０が備える円筒状の収納ユニットの非接触領域にマイクロホン等が配設されてもよい。
【００３８】
「回転防止機構について」
次に、コネクタ部１００およびコネクタ部１１０に形成される回転防止機構の一例について説明する。なお、以下の説明ではコネクタ部１００に形成される回転防止機構について説明するが、コネクタ部１１０に形成される回転防止機構についても同様である。
【００３９】
図６Ａおよび図６Ｂは、コネクタ部１１０に形成される回転防止機構の一例を説明するための図である。オーディオケーブルＣ１０の先端には、中央付近がやや屈曲する略円筒状の保護部材３００が接続されており、保護部材３００の端面からコネクタ部１００が突設されている。
【００４０】
コネクタ部１００は、保護部材３００の端面から、例えば樹脂からなる円筒形状の端子支持部３１０と、金属からなる円筒形状の端子３１５とが順次、形成された構成を成している。端子支持部３１０の周面の所定箇所にリブ３２０が形成されており、端子支持部３１０の周面におけるリブ３２０の形成位置と略反対側の位置にリブ３３０が形成されている。なお、リブの形成位置や個数は適宜、変更することができる。
【００４１】
一方、音響ドライバユニットＤＵ１には、コネクタ部１００を挿着するための孔部３５０が形成されている。孔部３５０の内周面には、リブ３２０およびリブ３３０に対応して、溝部３６０および溝部３７０が形成されている。音響ドライバユニットＤＵ１の孔部３５０に対してコネクタ部１００が挿着された際に、リブ３２０が溝部３６０に、リブ３３０が溝部３７０に係合する。
【００４２】
図７Ａおよび図７Ｂは、コネクタ部１００が音響ドライバユニットＤＵ１に対して挿着された状態の一例を示す図である。コネクタ部１００が音響ドライバユニットＤＵ１に対して挿着された状態では、リブ３２０およびリブ３３０が、音響ドライバユニットＤＵ１に形成された溝部３６０および溝部３７０のそれぞれに係合している。このため、コネクタ部１００が回転しまうことを防止できる。
【００４３】
コネクタ部１００の回転を防止することにより、音響ドライバユニットＤＵ１とコネクタ部１００との間に接触不良が生じノイズが発生することを防止できる。また、コネクタ部１００が音響ドライバユニットＤＵ１から離脱してユーザの耳からケーブルユニット１が離脱することを防止することができ、ケーブルユニット１の装着性を向上させることができる。
【００４４】
また、コネクタ部１００の回転を防止することにより、使用時におけるケーブルユニット１の不必要な動きが生じることを防止できる。これにより、例えば、ケーブルユニット１のオーディオケーブル２００にねじれが発生してしまうことを防止できる。オーディオケーブル２００にねじれが発生することを防止できるため、上述したようにケーブルユニット１の使用時における収納ユニット１５１の向きを一定とすることができる。したがって、収納ユニット１５１の非接触領域を設定することが可能となり、この非接触領域にマイクロホン１５３を配設することによりマイクロホン１５３にノイズが混入すること等を防止できる。
【００４５】
以上、本技術の一実施形態におけるケーブルユニットについて説明した。本技術の一実施形態におけるケーブルユニットにより、例えば、以下に例示する少なくとも一の効果を奏することができる。本技術の一実施形態におけるケーブルユニットでは、音響ドライバユニットと、無線通信を行う通信部を含むオーディオケーブルとが分離されている。このため、ユーザは、音楽をワイヤレスにより手軽に楽しむことができる。ヘッドホンのコネクタ部と係合する孔部を有する音響ドライバユニットに対して無線機能を付加することができる。
【００４６】
本技術の一実施形態におけるケーブルユニットでは、ケーブルユニットにおける回路構成や電源部等を、例えば２の収納ユニットに収納し重量を分散させるように構成している。例えばレシーバー型の無線音響装置のように重量が一カ所に集中することを防止できるため、ケーブルユニットがユーザから不用意に外れることを防止でき、ケーブルユニットをヘッドホンした場合の装着性を向上させることができる。また、ヘッドホンの使用状態を想定してオーディオケーブルの長さを適切に設定できるため、ユーザがオーディオケーブルの取り回しを容易に行うことができる。
【００４７】
＜２．変形例＞
以上、本技術の実施形態について具体的に説明したが、本技術は、上述の実施形態に限定されるものではなく、本技術の技術的思想に基づく各種の変形が可能である。
【００４８】
上述した一実施形態では、収納ユニット１５０および収納ユニット１６０間に近距離無線通信ユニット１８０を設ける構成としたが、これに限定されるものではない。近距離無線通信ユニット１８０の構成を設けなくてもよい。近距離無線通信ユニット１８０の回路構成を収納ユニット１５０および収納ユニット１６０のいずれかに収納してもよい。収納ユニット１５０および収納ユニット１６０間をオーディオケーブルのみをすることにより、ケーブルユニット１の収納性を向上させることができる。
【００４９】
音響ユニットドライバの形状は、一実施形態における形状（インナーイヤー型）に限定されることはない。例えば、音響ドライバユニットの形状がオーバーヘッドホン型等でもよい。
【００５０】
上述した一実施形態におけるケーブルユニットに他の構成が追加されてもよい。例えば、ケーブルユニット１の収納ユニット１５１に、例えば、ＬＣＤ(Liquid Crystal Display)等の表示部が配設されてもよい。
【００５１】
なお、上述した一実施形態では、ケーブルユニットに対して音響ドライバユニットが着脱自在とされる構成について説明したが、これに限定されるものではない。本技術は、例えば、ケーブルユニットに対して音響ドライバユニットが（着脱不可能に）取り付けられたヘッドホンとして実現することも可能である。
【００５２】
本技術は、以下の構成もとることができる。
（１）
第１の収納ユニットと、
第２の収納ユニットと、
音響ドライバユニットに対して着脱自在とされる第１のコネクタ部と、
音響ドライバユニットに対して着脱自在とされる第２のコネクタ部と、
前記第１の収納ユニット、前記第２の収納ユニット、前記第１のコネクタ部および前記第２のコネクタ部に接続されるケーブルと
を有し、
前記第１の収納ユニットおよび前記第２の収納ユニットの重量の和が、前記第１の収納ユニットおよび前記第２の収納ユニット間の重量に比して大とされる
ケーブルユニット。
（２）
前記第１の収納ユニットおよび前記第２の収納ユニットのいずれかに、無線通信を行うための通信部が収納される
（１）に記載のケーブルユニット。
（３）
前記第１の収納ユニットおよび前記第２の収納ユニットのうち、前記通信部が収納される収納ユニットとは異なる収納ユニットに電源部が収納される
（２）に記載のケーブルユニット。
（４）
前記第１のコネクタ部および前記第２のコネクタ部のそれぞれに回転防止機構が形成される
（１）乃至（３）のいずれかに記載のケーブルユニット。
（５）
前記第１の収納ユニットおよび前記第２の収納ユニットはそれぞれ、円筒状の収納ユニットと、前記円筒状の収納ユニットを支持する線状のユニット支持部とを有し、
前記ケーブルが前記ユニット支持部に挿通される
（１）乃至（４）のいずれかに記載のケーブルユニット。
（６）
前記円筒状の収納ユニットに、少なくともマイクロホンが配設される
（５）に記載のケーブルユニット。
（７）
前記ユニット支持部が前記円筒状の収納ユニットの周面の一部を支持するように構成された
（５）または（６）に記載のケーブルユニット。
（８）
所定の状態において、前記円筒状の収納ユニットの周面に生じる非接触領域に前記マイクロホンが位置するように構成された
（６）または（７）に記載のケーブルユニット。
（９）
第１の収納ユニットと、
第２の収納ユニットと、
第１の音響ドライバユニットと、
第２の音響ドライバユニットと、
前記第１の収納ユニット、前記第２の収納ユニット、前記第１の音響ドライバユニットおよび前記第２の音響ドライバユニットに接続されるケーブルと
を有し、
前記第１の収納ユニットおよび前記第２の収納ユニットの重量の和が、前記第１の収納ユニットおよび前記第２の収納ユニット間の重量に比して大とされる
ヘッドホン。
（１０）
前記第１の収納ユニットおよび前記第２の収納ユニットのいずれかに、無線通信を行うための通信部が収納される
（９）に記載のヘッドホン。
（１１）
前記第１の収納ユニットおよび前記第２の収納ユニットのうち、前記通信部が収納される収納ユニットとは異なる収納ユニットに電源部が収納される
（１０）に記載のヘッドホン。
（１２）
前記第１の収納ユニットおよび前記第２の収納ユニットはそれぞれ、円筒状の収納ユニットと、前記円筒状の収納ユニットを支持する線状のユニット支持部とを有し、
前記ケーブルが前記ユニット支持部に挿通される
（９）乃至（１１）のいずれかに記載のヘッドホン。
（１３）
前記円筒状の収納ユニットに、少なくともマイクロホンが配設される
（１２）に記載のヘッドホン。
（１４）
前記ユニット支持部が前記円筒状の収納ユニットの周面の一部を支持するように構成された
（１２）または（１３）に記載のヘッドホン。
（１５）
所定の状態において、前記円筒状の収納ユニットの周面に生じる非接触領域に前記マイクロホンが位置するように構成された
（１３）または（１４）に記載のヘッドホン。
【符号の説明】
【００５３】
１・・・ケーブルユニット
１００，１１０・・・コネクタ部
１５０，１６０・・・収納ユニット
２００（Ｃ１０，Ｃ２０，Ｃ３０）・・・オーディオケーブル
【図１】
2016051950.tif 000003
【図２】
2016051950.tif 000004
【図３】
2016051950.tif 000005
【図４】
2016051950.tif 000006
【図５】
2016051950.tif 000007
【図６】
2016051950.tif 000008
【図７】
2016051950.tif 000009